(57)【要約】【課題】簡易な方法により折板屋根材に取り付けることができ、漏水のおそれがない折板採光装置を提供する。【解決手段】採光部材（２０）の両端部のそれぞれに沿って設けられた袴部（３４）と、採光用開口部（１１）を挟んで対向する位置に固定可能な１組の受け金具（５０）とを備えており、受け金具（５０）は突起部（５５・５６）を備えており、袴部（３４）は突起部（５５・５６）に係止する係止部（３５・３６）を備えている。【選択図】図７
2016223144.tif 000002
【特許請求の範囲】
【請求項１】
折板屋根材の採光用開口部に対向するように採光部材を上記折板屋根材に取り付け可能な折板採光装置であって、
上記採光部材の両端部のそれぞれに沿って設けられた固定部と、
上記折板屋根材の、上記採光用開口部を挟んで対向する位置に取り付け可能な１組の受け部材と、を備えており、
上記受け部材は、取り付けられた際に、上記折板屋根材の傾斜面に重なる傾斜部を備えているとともに、上記傾斜部には突起部が設けられており、
各上記固定部は、上記突起部に係止する係止部を備えていることを特徴とする折板採光装置。
【請求項２】
各上記固定部は、上記採光部材の各端部から幅広方向に伸びていることを特徴とする請求項１に記載の折板採光装置。
【請求項３】
各上記固定部は、可撓性を有していることを特徴とする請求項１または２に記載の折板採光装置。
【請求項４】
上記採光部材は、ハニカム状複層板を備えていることを特徴とする請求項１〜３の何れか１項に記載の折板採光装置。
【請求項５】
上記採光部材は、ハニカム状複層板の下側に透光性を有する難燃性のシートを備えていることを特徴とする請求項４に記載の折板採光装置。
【請求項６】
上記採光部材は、屋根の流れ方向に沿って直列に複数設けられると共に、
各採光部材の間には、該採光部材の突き合わせ面に両面防水テープが貼着され、かつ樋機能を有する断面錨状の接合部材が設けられることを特徴とする請求項１〜５の何れか１項に記載の折板採光装置。
【請求項７】
折板屋根材の採光用開口部に対向するように採光部材を上記折板屋根材に取り付け可能な折板採光装置であって、
上記採光部材を上記採光用開口部に対向する位置に固定するための固定部を備えており、
上記固定部は、上記採光部材の両端部のそれぞれに沿って設けられ、
各上記固定部は、上記折板屋根材の傾斜面に直接的または間接的に設けられた突起部に係止する係止部を備えていることを特徴とする折板採光装置。
【請求項８】
採光部材の両端部のそれぞれに沿って設けられ、折板屋根材の採光用開口部に対向するように上記採光部材を上記折板屋根材に固定するための固定部を備えており、
各上記固定部は係止部を備えている、折板採光装置に用いられる受け部材であって、
上記折板屋根材に取り付けられる被固定部と、上記折板屋根材に取り付けられた際に、上記折板屋根材の傾斜面に重なる傾斜部とを備えており、
上記傾斜部には、上記係止部が係止可能な突起部が設けられていることを特徴とする受け部材。
【請求項９】
請求項１に記載の折板採光装置を折板屋根材に取り付ける折板採光装置の取付方法であって、
上記１組の受け部材を、上記折板屋根材の採光用開口部を挟んで対向する位置に固定する受け部材固定工程と、
上記採光部材の一方の端部に設けられた上記固定部の上記係止部を、一方の上記受け部材の上記突起部に係止する第１係止工程と、
上記採光部材の他方の端部に設けられた上記固定部の上記係止部を、他方の上記受け部材の上記突起部に係止する第２係止工程と、を含んでいることを特徴とする折板採光装置の取付方法。
【発明の詳細な説明】
【技術分野】
【０００１】
本発明は、折板採光装置、受け部材、及び折板採光装置の取付方法に関する。
【背景技術】
【０００２】
従来、鋼板折板屋根の一部に採光用開口部を設け、該採光用開口部に透光性樹脂又は網入りガラスからなる採光板を架け渡して設けることにより屋根から採光する技術が知られている。
【０００３】
例えば、特許文献１の折板採光装置は、透光性を有する採光部材と、採光部材の縁端部に設けられた可撓性を有する採光部材支持板と、採光部材支持板を折板屋根材に固定する固定部材と、を備えており、折板屋根材に設けた採光用開口部に採光部材を被せるようにして折板屋根材に取り付けることにより、屋根から採光することができる。
【０００４】
特許文献１の折板採光装置を折板屋根材に取り付ける際は、まず、折板採光装置を折板屋根材の採光用開口部の上側にセットする。
【０００５】
そして、採光部材の両側端部に沿って固定されて垂下状態に設けられた採光部材支持板の垂下板傾斜面を、折板屋根材における採光用開口部を挟んで隣接する山部の各外側傾斜面にそれぞれ当接させる。
【０００６】
次いで、採光部材支持板を山部の外側傾斜面に当接した状態にて、ブラインドリベットやボルトなどの固定部材を用いて、折板屋根材に採光部材支持板を締結する。
【０００７】
特許文献１の折板採光装置は、折板屋根材に取り付けた状態において、可撓性を有する採光部材支持板が、折板屋根材における山部の各外側傾斜面に当接されている。
【０００８】
そのため、金属製の折板屋根材が、寒暖により伸縮して採光用開口部を挟んで隣接する山部の間隔が伸縮したとしても、採光部材支持板が可撓性を有しているので、その伸縮は採光部材支持板が撓むことにより吸収される。これにより、採光部材の破損を防止することができる。
【先行技術文献】
【特許文献】
【０００９】
【特許文献１】特開２０１３−１８５３７４号公報（２０１３年９月１９日公開）
【発明の概要】
【発明が解決しようとする課題】
【００１０】
しかしながら、特許文献１を折板屋根材に取り付ける場合、採光部材支持板を折板屋根に当接した状態で、ブラインドリベットやボルトなどを用いて締結する必要があり、作業工数が多い。
【００１１】
また、特許文献１の折板採光装置を折板屋根材に取り付ける場合、ブラインドリベットやボルトなどを用いて採光部材支持板を折板屋根材に締結するために、折板屋根材および採光部材支持板を貫通する穴を設ける必要があるが、折板屋根材が劣化することにより、折板屋根材および採光部材支持板の穴から雨水が漏れるおそれがある。
【００１２】
そこで、本発明は上記の課題に鑑みなされたものであって、その目的は、簡易な方法により折板屋根材に取り付けることができ、漏水のおそれがない折板採光装置、受け部材、および折板採光装置の取付方法を提供することにある。
【課題を解決するための手段】
【００１３】
上記の課題を解決するために、本発明の態様１に係る折板採光装置は、折板屋根材の採光用開口部に対向するように採光部材を上記折板屋根材に取り付け可能な折板採光装置であって、上記採光部材の両端部のそれぞれに沿って設けられた固定部と、上記折板屋根材の、上記採光用開口部を挟んで対向する位置に取り付け可能な１組の受け部材と、を備えており、上記受け部材は、取り付けられた際に、上記折板屋根材の傾斜面に重なる傾斜部を備えているとともに、上記傾斜部には突起部が設けられており、各上記固定部は、上記突起部に係止する係止部を備えていることを特徴とする。
【００１４】
上記の構成によれば、折板採光装置を折板屋根材に取り付けるために折板屋根材および固定部を貫通する穴を設ける必要がない。そのため、折板屋根材が劣化しても雨水が漏水することがない。
【００１５】
また、固定された受け部材が有する突起部に、固定部が有する係止部を係止することによって、採光部材を折板屋根材の採光用開口部に対向する位置に固定することができる。これにより、ブラインドリベットやボルトなどの固定部材を用いることなく、簡易な方法により折板採光装置を折板屋根材に取り付けることができる。
【００１６】
本発明の態様２に係る折板採光装置は、上記態様１において、各上記固定部は、上記採光部材の各端部から幅広方向に伸びている構成であってもよい。
【００１７】
上記の構成によれば、２つの固定部は、採光部材からみて外側に伸びているため、折板採光装置を折板屋根材に取り付ける際、固定部の係止部を受け部材の突起部に容易に係止することができる。
【００１８】
本発明の態様３に係る折板採光装置は、上記態様１または２において、各上記固定部は、可撓性を有している構成であってもよい。
【００１９】
上記の構成によれば、固定部に外力を加えることによって固定部を撓ませることができるため、折板採光装置を折板屋根材に取り付ける際、各固定部の係止部を各受け部材の突起部に容易に係止することができる。
【００２０】
本発明の態様４に係る折板採光装置は、上記態様１〜３の何れかにおいて、採光部材は、ハニカム状複層板を備えている構成であってもよい。
【００２１】
上記の構成によれば、軽量であって、かつ高い剛性、耐衝撃性及び断熱性を確保することができるので、寒冷地での積雪等にも適した折板採光装置を提供することができる。
【００２２】
本発明の態様５に係る折板採光装置は、上記態様４において、上記採光部材は、ハニカム状複層板の下側に透光性を有する難燃性のシートを備えている構成であってもよい。
【００２３】
上記の構成によれば、採光部材が例えば樹脂製品にてなっていても、一定の耐火性能を有するので、採光部材が容易に燃焼するのを防止することができる。したがって、工場等の折板屋根材に適用することができる。
【００２４】
本発明の態様６に係る折板採光装置は、上記態様１〜５の何れかにおいて、上記採光部材は、屋根の流れ方向に沿って直列に複数設けられると共に、各採光部材の間には、該採光部材の突き合わせ面に両面防水テープが貼着され、かつ樋機能を有する断面錨状の接合部材が設けられる構成であってもよい。
【００２５】
上記の課題を解決するために、本発明の態様７に係る折板採光装置は、折板屋根材の採光用開口部に対向するように採光部材を上記折板屋根材に取り付け可能な折板採光装置であって、上記採光部材を上記採光用開口部に対向する位置に固定するための固定部を備えており、上記固定部は、上記採光部材の両端部のそれぞれに沿って設けられ、各上記固定部は、上記折板屋根材の傾斜面に直接的または間接的に設けられた突起部に係止する係止部を備えていることを特徴とする。
【００２６】
上記の構成によれば、折板採光装置を折板屋根材に取り付けるために折板屋根材および固定部を貫通する穴を設ける必要がない。そのため、折板屋根材が劣化しても雨水が漏水することがない。
【００２７】
また、折板屋根材の傾斜面に直接的または間接的に設けられた突起部に、固定部が有する係止部を係止することによって、採光部材を折板屋根材の採光用開口部に対向する位置に固定することができる。具体的には、折板屋根材の傾斜面に設けられた受け部材が有する突起部に、固定部が有する係止部を係止するか、または、折板屋根材の傾斜面に直接的に設けられた突起部に、固定部が有する係止部を係止することによって、採光部材を折板屋根材の採光用開口部に対向する位置に固定することができる。
【００２８】
これにより、ブラインドリベットやボルトなどの固定部材を用いることなく、簡易な方法により折板採光装置を折板屋根材に取り付けることができる。
【００２９】
上記の課題を解決するために、本発明の態様８に係る受け部材は、採光部材の両端部のそれぞれに沿って設けられ、折板屋根材の採光用開口部に対向するように上記採光部材を上記折板屋根材に固定するための固定部を備えており、各上記固定部は係止部を備えている、折板採光装置に用いられる受け部材であって、上記折板屋根材に取り付けられる被固定部と、上記折板屋根材に取り付けられた際に、上記折板屋根材の傾斜面に重なる傾斜部とを備えており、上記傾斜部には、上記係止部が係止可能な突起部が設けられていることを特徴とする。
【００３０】
上記の構成によれば、受け部材を用いることによって、折板屋根材および固定部を貫通する穴を設けることなく、折板屋根材に折板採光装置を固定することができる。そのため、折板屋根材が劣化しても雨水が漏水することがない。
【００３１】
また、折板屋根材に固定された受け部材が有する突起部に、固定部が有する係止部を係止することによって、採光部材を折板屋根材の採光用開口部に対向する位置に固定することができる。これにより、ブラインドリベットやボルトなどの固定部材を用いることなく、簡易な方法により折板採光装置を折板屋根材に取り付けることができる。
【００３２】
上記の課題を解決するために、本発明の態様９に係る折板採光装置の取付方法は、態様１に記載の折板採光装置を折板屋根材に取り付ける折板採光装置の取付方法であって、上記１組の受け部材を、上記折板屋根材の採光用開口部を挟んで対向する位置に固定する受け部材固定工程と、上記採光部材の一方の端部に設けられた上記固定部の上記係止部を、一方の上記受け部材の上記突起部に係止する第１係止工程と、上記採光部材の他方の端部に設けられた上記固定部の上記係止部を、他方の上記受け部材の上記突起部に係止する第２係止工程と、を含んでいることを特徴とする。
【００３３】
上記の方法によれば、折板採光装置を折板屋根材に取り付けるために折板屋根材および固定部を貫通する穴を設ける必要がない。そのため、折板屋根材が劣化しても雨水が漏水することがない。
【００３４】
また、固定された受け部材が有する突起部に、固定部が有する係止部を係止することによって、採光部材を折板屋根材の採光用開口部に対向する位置に固定することができる。これにより、ブラインドリベットやボルトなどの固定部材を用いることなく、簡易な方法により折板採光装置を折板屋根材に取り付けることができる。
【発明の効果】
【００３５】
本発明によれば、簡易な方法により折板屋根材に取り付けることができ、漏水のおそれがない折板採光装置、受け部材、および折板採光装置の取付方法を提供することができる。
【図面の簡単な説明】
【００３６】
【図１】本発明の実施形態１に係る折板採光装置を折板屋根材に取り付けた状態を示す分解斜視図である。
【図２】１枚の折板屋根材を示す斜視図である。
【図３】本発明の実施形態１に係る折板採光装置を折板屋根材に取り付けた状態を示す平面図である。
【図４】（ａ）は複数の折板採光装置同士の連結部分の構成を示す断面図であり、（ｂ）は複数の折板採光装置同士の連結部分に設けられるジョイナーの構成を示す正面図である。
【図５】折板採光装置を複数連接する場合に各折板採光装置間に設けられるジョイナーを示す斜視図である。
【図６】本発明の実施形態１に係る折板採光装置の構成を示す斜視図である。
【図７】本発明の実施形態１に係る折板採光装置を折板屋根材に取り付けた状態を示す断面図である。
【図８】本発明の実施形態１に係る折板採光装置を折板屋根材に取り付けた状態を示す水上部の断面図である。
【図９】本発明の実施形態１に係る折板採光装置を折板屋根材に取り付けた状態を示すジョイント部の断面図である。
【図１０】本発明の実施形態２に係る折板採光装置を折板屋根材に取り付けた状態を示す断面図である。
【発明を実施するための形態】
【００３７】
〔実施形態１〕
以下、本発明の実施形態について、図１〜図９に基づいて詳細に説明する。
【００３８】
＜全体構成＞
図１は、本実施形態に係る折板採光装置を折板屋根材に取り付けた状態を示す分解斜視図である。図２は、１枚の折板屋根材を示す斜視図である。図３は、本実施形態に係る折板採光装置を折板屋根材に取り付けた状態を示す平面図である。
【００３９】
図１に示すように、折板採光装置１は、折板屋根材１０の採光用開口部１１に対向するように取り付けることができ、これにより、採光用開口部１１を介して建築物の室内に採光するものである。
【００４０】
図１に示すように、折板屋根材１０は、複数枚が横並びに連設されているとともに、梁等の建築構造材２に支持されるタイトフレーム３に支持されている。
【００４１】
図２に示すように、１枚の折板屋根材１０は、山部１２の左半分と、山部１２の右半分と、その間に形成された１個の谷部１３とからなっている。そして、山部１２・１２の上縁部には、はぜ締め部１２ａ・１２ｂがそれぞれ形成されており、２組の折板屋根材１０・１０を隣接させて、はぜ締め部１２ａ・１２ｂにてはぜ締めすることにより、折板屋根材１０・１０を互いに連結するようになっている。尚、折板屋根材１０は、必ずしもこれに限らず、他の働き巾及び長さであってよく、形状は、１枚の折板屋根材１０に対して複数の山部１２を有する形状、山部１２・１２間に複数の凹凸等が存在する形状等であってもよい。
【００４２】
折板屋根材１０は、例えば鋼板等の金属製にてなっており、厚さ例えば０・６〜１．２ｍｍであり、働き巾が例えば５００ｍｍとなっている。屋根の流れ方向の長さは屋根の大きさによって設定可能であり、数ｍ〜数１００ｍでも可能である。
【００４３】
図１に示すように、上記折板屋根材１０における採光用開口部１１の屋根の流れ方向に沿う下流側には、雨水の浸入を防止するための遮蔽板である水止面戸１４及びエプロン面戸１５が２重に形成されている。水止面戸１４は、例えば、折板屋根材１０の谷部１３を折曲して形成することが可能である。尚、本実施形態では、遮蔽板を２重に形成したが、必ずしもこれに限らず、少なくとも１枚存在すればよい。
【００４４】
一方、折板屋根材１０における採光用開口部１１の屋根の流れ方向に沿う上流側には、水上折板塞ぎ１８が設けられている。この水上折板塞ぎ１８は、採光用開口部１１の水上部分に雨水が浸入するのを防止するためのものであり、金属製の折板採光装置１と同じ材質からなっている。
【００４５】
図３に示すように、この水上折板塞ぎ１８は、屋根棟まで折板採光装置１が直列に延びて連設されている場合には存在せず、折板採光装置１が屋根棟にまでは連設されない場合に設けられる。
【００４６】
＜ジョイナー＞
図４の（ａ）は複数の折板採光装置同士の連結部分の構成を示す断面図であり、図４の（ｂ）は複数の折板採光装置同士の連結部分に設けられるジョイナーの構成を示す正面図である。
【００４７】
図５は、折板採光装置を複数連接する場合に各折板採光装置間に設けられるジョイナーを示す斜視図である。
【００４８】
本実施形態では、折板屋根材１０における屋根の流れ方向の長さが長い場合には、複数の折板採光装置１を直列にして連結する。
【００４９】
その場合、図４の（ａ）・（ｂ）及び図５に示すように、各折板採光装置１の間には、接合部材としてのジョイナー４（接合部材）を使用する。このジョイナー４は、断面錨状にてなり、１枚の鋼板を折曲してなっている。すなわち、図４の（ｂ）及び図５に示すように、ジョイナー４の錨縦部４ａは１枚の鋼板を山折して各面を接触してなっていると共に、錨縦部４ａの下端から両側に湾曲して広がっているので、錨状となっている。この結果、ジョイナー４の底部は樋部４ｂ・４ｂとなっており、雨水を横方向に流せる樋機能を有している。また、２つの採光部材２０・２０が付き合わされるジョイナー４の錨縦部４ａの両面には、例えばブチルテープ等の両面防水テープ４ｃ・４ｃが貼着されている。
【００５０】
また、本実施形態では、図４の（ａ）に示すように、各採光部材２０・２０の突き合わせ面の上面には、防水シール５が充填されるようになっている。これにより、防水シール５、両面防水テープ４ｃ・４ｃ及び樋部４ｂ・４ｂによる止水３重構造となっている。
【００５１】
＜採光部材＞
図６は、本実施形態に係る折板採光装置の構成を示す斜視図である。
【００５２】
図７は、本実施形態に係る折板採光装置を折板屋根材に取り付けた状態を示す断面図である。
【００５３】
図６に示すように、本実施形態の折板採光装置１は、採光部材２０と、採光部材２０における屋根の流れ方向に平行な両側端部に沿って該採光部材２０に固定されて垂下状態に設けられた可撓性を有する採光部材支持板３０とを有している。
【００５４】
図７に示すように、採光部材２０は、透光性を有するハニカム状複層板２１と難燃性の不織布シート２２との２層構造となっており、ハニカム状複層板２１及び不織布シート２２の周りには、ハニカム状複層板２１と不織布シート２２との間に介在されるパッキン（図示せず）、不織布シート２２を下側から押さえる下枠（図示せず）、及びこれらの部材を一体化するための採光部材２０における長手方向の両端部に設けられるチャネル（図示せず）が設けられている。尚、本発明においては、採光部材２０は、必ずしもハニカム状複層板２１と難燃性の不織布シート２２との２層構造になっている必要はなく、少なくとも透光性を有する板材であれば足りる。
【００５５】
ハニカム状複層板２１は、透光性を有しており、４層の水平板２１ａ…と、これら水平板２１ａ…の間に断面格子状に介在される垂直板２１ｂ…とからなっており、これらの間は空間部となっている。この結果、ハニカム状複層板２１は、ハニカム形状となっており、軽量性及び高い剛性を有すると共に、耐衝撃性、断熱性に優れたものからなっている。また、例えば、長手方向の両端面の開口をアルミニウム等の薄いフィルムにて塞いで空間部と外気との流通を無くすことによりさらなる断熱性の向上させることができる。ただし、本発明においては、採光部材２０は、必ずしもハニカム形状の複層板に限らず、単に、透光性を有する板材であればよい。
【００５６】
ハニカム状複層板２１は、例えば、ポリカーボネート樹脂からなっている。ただし、必ずしもこれに限らず、アクリル樹脂、ポリエチレン樹脂、ポリプロピレン樹脂等を使用することができる。ただし、ポリカーボネート樹脂は、耐候性、耐衝撃性に優れ、かつ透光性も良好であるので好ましく使用される。
【００５７】
また、本実施形態では、ハニカム状複層板２１の下側にシートとしての少なくとも難燃性の不織布シート２２を設けている。この不織布シート２２は、詳細には、ガラスクロスの両面にシリコーン系樹脂が塗布されたものからなっており、透光性を有している。このガラスクロスの両面にシリコーン系樹脂が塗布された不織布シート２２は、建築基準法第６８条の２６第１項（同法第８８条第１項において準用する場合を含む。）の規定に基づき、同法第２条第９号及び同法施行令第１０８条の２（不燃材料）の規定に適合するものとなっている。ただし、本発明においては、必ずしも不燃材料に限らず、少なくとも難燃性を有していれば足りる。
【００５８】
この結果、本実施形態の採光部材２０は、不織布シート２２の存在により、耐火性能を有するものとなっている。
【００５９】
１枚の採光部材２０の幅は、例えば働き巾が５００ｍｍの折板屋根材１０に対応すべく、例えば６１０ｍｍとなっているとともに、屋根の流れ方向の長さが例えば４０１０ｍｍとなっている。尚、この寸法は例示であって、折板屋根材１０の働き巾等に合わせて適宜他の寸法にすることができる。
【００６０】
＜採光部材取付部材＞
本実施形態では、採光部材支持板３０は、金属製の折板屋根材１０と同じ材質の鋼板からなっている。すなわち、１枚の鋼板を折曲して、Ｌ字水平面３１、垂下板３２及び袴部３４（固定部）を形成している。したがって、採光部材支持板３０と折板屋根材１０とは、熱膨張係数が互いに同じであるので、両者は同じ伸縮を示す。この結果、採光部材支持板３０と折板屋根材１０との寒暖による互いの伸縮により、一方が破壊されたり、折板屋根材１０から折板採光装置１が外れたりすることが無くなる。
【００６１】
図６に示すように、採光部材支持板３０には、Ｌ字水平面３１の外側縁部から垂下する垂下板３２が設けられており、垂下板３２の下端部がさらに外側（幅広方向）に広がる袴部３４となっている。より具体的には、袴部３４は、採光部材２０を採光用開口部１１に対向配置したときに、折板屋根材１０の山部１２・１２における外側傾斜面１２ｃ・１２ｃ（傾斜面）に沿う角度で外側に広がっている。この結果、採光部材２０を採光用開口部１１に対向配置したときに、採光部材２０の互いに対向する両端部に沿って設けられた２つの袴部３４は、外側傾斜面１２ｃ・１２ｃに当接するようになっている。
【００６２】
図７に示すように、折板屋根材１０における屋根の流れ方向に沿う一部には、採光用開口部１１が形成されており、この採光用開口部１１の上に折板採光装置１が被せられるようになっている。採光用開口部１１は、折板屋根材１０における谷部１３を形成する両内側傾斜面と谷底部とを切り欠いたものからなっている。
【００６３】
本実施形態の折板採光装置１では、採光部材支持板３０の袴部３４が折板屋根材１０における山部１２・１２の外側傾斜面１２ｃ・１２ｃに当接された状態で、受け金具５０（受け部材）を用いて固定されるようになっている。
【００６４】
具体的には、袴部３４と受け金具５０とが採光部材取付部材を構成しており、採光部材取付部材により、採光部材２０を折板屋根材１０の採光用開口部１１に対向する位置に固定している。
【００６５】
（受け金具）
図７に示すように、１組の受け金具５０が、折板屋根材１０における採光用開口部１１を挟んで対向する位置に固定される。
【００６６】
受け金具５０は、ビス３３を用いて折板屋根材１０の山部１２に固定可能な被固定部５１と、被固定部５１を折板屋根材１０の山部１２にビス止めしたときに折板屋根材１０の外側傾斜面１２ｃに重なる傾斜部５２とを備えている。
【００６７】
受け金具５０の傾斜部５２には、折板屋根材１０の外側傾斜面１２ｃからみて突起した突起部５５・５６を備えている。
【００６８】
なお、本実施形態の受け金具５０は、１枚の鋼板を折曲して形成されており、傾斜部５２においてジグザグに折曲することによって、突起部５５・５６が形成されている。ただし、受け金具５０の形成方法および図中の受け金具５０の形状は一例であり、本発明において受け金具５０は、折板屋根材１０に固定可能であって、折板屋根材１０の外側傾斜面１２ｃからみて突起した少なくとも１つの突起部を備えていればよい。
【００６９】
受け金具５０の突起部５５・５６は、折板屋根材１０の外側傾斜面１２ｃに間接的に突起を設けるためのものであり、後述する袴部３４の係止部３５・３６が係止することができる部分である。
【００７０】
屋根の流れ方向における採光部材２０の長辺の長さは例えば４０１０ｍｍであり、採光用開口部１１も同等の長さを有している。そして、図１に示すように、採光用開口部１１の各長辺の両端に１個ずつ受け金具５０が配置され、当該２つの受け金具５０の間に１ｍピッチで３個の受け金具５０が配置される。すなわち、１つの採光用開口部１１の周囲に１０個の受け金具５０が配置される。
【００７１】
（袴部）
袴部３４は、採光部材支持板３０のうち、垂下板３２の下端部から外側に広がる部分である。
【００７２】
図７に示すように、採光部材２０の互いに対向する両端部に沿って設けられた２つの袴部３４は、それぞれ、折板屋根材１０の外側傾斜面１２ｃ・１２ｃと同じ角度で外側に広がっている。この結果、採光部材２０の互いに対向する両端部に沿って設けられた２つの袴部３４は、受け金具５０を間に挟んで折板屋根材１０の外側傾斜面１２ｃ・１２ｃに対して略当接している。
【００７３】
また、袴部３４は、受け金具５０の突起部５５・５６に係止する係止部３５・３６を備えている。
【００７４】
なお、本実施形態の採光部材支持板３０は、１枚の鋼板を折曲して形成されており、これにより垂下板３２および袴部３４が形成されている。さらに、袴部３４においてジグザグに折曲することによって、係止部３５・３６が形成されている。ただし、採光部材支持板３０の形成方法および図中の採光部材支持板３０の形状は一例であり、本発明において袴部３４は、受け金具５０の突起部５５・５６に係止可能な係止部を備えていればよい。
【００７５】
上述のように、本実施形態の折板採光装置１は、折板部材取付部材として、袴部３４および受け金具５０を備えている。袴部３４の係止部３５・３６が、折板屋根材１０の外側傾斜面１２ｃに間接的に設けられた突起部５５・５６に係止することによって、採光部材２０を折板屋根材１０に取り付けることができる。
【００７６】
このような工法では、折板屋根材１０および採光部材支持板３０を貫通する穴を設ける必要がないため、折板屋根材１０が劣化しても雨水が漏水することがない。
【００７７】
また、ブラインドリベットやボルトなどの特別な部材を用いることなく、簡易な構成により採光部材支持板３０を折板屋根材１０に固定し、折板採光装置１を折板屋根材１０に取り付けることができる。
【００７８】
＜その他の構成＞
図８は、本実施形態に係る折板採光装置を折板屋根材に取り付けた状態を示す水上部の断面図である。図９は、本実施形態に係る折板採光装置を折板屋根材に取り付けた状態を示すジョイント部の断面図である。
【００７９】
図８に示すように、水上部では、採光部材２０と折板屋根材１０との間にレベル調整ピース６０を挟み込む。これにより、採光部材２０と折板屋根材１０との間の隙間を無くすことができるとともに、採光部材支持板３０に上下方向の引張応力が加わるため、折板採光装置１を安定化させることができる。
【００８０】
なお、図８は水上部の断面図であるが、水下部にも同様にレベル調整ピースを挟み込むことが好ましい。
【００８１】
また、上述したように、複数の折板採光装置１の連結部分にはジョイナー４が設けられている。図９に示すように、折板採光装置１の連結部分では、採光部材２０と折板屋根材１０との間にジョイナー４が位置する。
【００８２】
図４の（ｂ）に示すように、ジョイナー４の形状は錨状であるため、レベル調整ピースと同様に機能し、採光部材２０と折板屋根材１０との間の隙間を無くすことができるとともに、採光部材支持板３０に上下方向の引張応力が加わるため、折板採光装置１を安定化させることができる。
【００８３】
また、図示は省略するが、採光用開口部１１を跨ぐようにして、折板屋根材１０の山部１２に固定された補強バーを設けることが好ましい。これにより、折板屋根材１０を補強することができる。
【００８４】
＜取付方法＞
以下、本実施形態の採光部材付きの折板屋根の施工方法として、折板採光装置１を折板屋根材１０に取り付けるための取付方法について説明する。
【００８５】
本実施形態の折板採光装置１を折板屋根材１０に取り付ける工程は、受け部材固定工程と、係止工程とに分けることができる。
【００８６】
受け部材固定工程では、１組の受け金具５０を、折板屋根材１０の採光用開口部１１を挟んで対向する位置に固定する。
【００８７】
次の係止工程では、折板採光装置１を、折板屋根材１０の採光用開口部１１の上から被せるようにして力を加える。このとき、折板採光装置１の袴部３４が弾性変形して外側に広がり、袴部３４の係止部３５・３６が受け金具５０の突起部５５・５６に係止したところで弾性変形状態からもとの形状に戻る。
【００８８】
これにより、突起部５５・５６と係止部３５・３６とが噛み合い、折板採光装置１の鉛直方向上向き動きが制限され、折板採光装置１が折板屋根材１０に固定される。
【００８９】
なお、係止工程では、採光部材２０の一方の端部に設けられた袴部３４の係止部３５・３６を、一方の受け金具５０の突起部５５・５６に係止（第１係止工程）した後、採光部材２０の他方の端部に設けられた袴部３４を弾性変形させ、当該袴部３４の係止部３５・３６を、他方の受け金具５０の突起部５５・５６に係止（第２係止工程）することが好ましい。これにより、折板採光装置１の位置ズレを抑制することができる。
【００９０】
上記のように、本実施形態の折板採光装置１の取付方法によれば、ブラインドリベットやボルトなどの特別な部材を用いることなく、簡易な取付方法により採光部材支持板３０を折板屋根材１０に固定し、折板採光装置１を折板屋根材１０に取り付けることができる。
【００９１】
〔実施形態２〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。
【００９２】
実施形態１では、折板屋根材１０に受け金具５０を固定することによって、折板屋根材１０の外側傾斜面１２ｃに間接的に突起部５５・５６を形成した。しかしながら、本発明の折板採光装置１は上記の構成に限られない。
【００９３】
折板屋根材１０の外側傾斜面１２ｃに直接的に突起部が設けられている場合には、受け金具５０を用いることなく、折板採光装置１を折板屋根材１０に取り付けることができる。以下、具体的に説明する。
【００９４】
図１０は、本実施形態に係る折板採光装置を折板屋根材に取り付けた状態を示す断面図である。
【００９５】
従来、折板屋根材１０の強度向上などを目的として、折板屋根材１０の傾斜面に凹凸を設ける場合がある。
【００９６】
図１０に示すように、このような折板屋根材１０の外側傾斜面１２ｃには、突起部１６・１７が設けられている。
【００９７】
本実施形態の折板採光装置１は、袴部３４の係止部３５・３６を、折板屋根材１０の外側傾斜面１２ｃに直接的に設けられた突起部１６・１７に係止する。これにより、折板採光装置１を折板屋根材１０に取り付けることができる。
【００９８】
このように、折板採光装置１は、受け金具を用いなくとも、外側傾斜面１２ｃに突起部１６・１７が設けられた折板屋根材１０に取り付けることができる。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１００】
本発明は、採光可能な折板屋根の工法に好適に利用することができる。
【符号の説明】
【０１０１】
１  折板採光装置
４  ジョイナー（接合部材）
１０  折板屋根材
１１  採光用開口部
１２ｃ  外側傾斜面（傾斜面）
１６・１７  突起部
２０  採光部材
３４  袴部（固定部）
３５・３６  係止部
５０  受け金具（受け部材）
５１  被固定部
５５・５６  突起部
【図１】
2016223144.tif 000003
【図２】
2016223144.tif 000004
【図３】
2016223144.tif 000005
【図４】
2016223144.tif 000006
【図５】
2016223144.tif 000007
【図６】
2016223144.tif 000008
【図７】
2016223144.tif 000009
【図８】
2016223144.tif 000010
【図９】
2016223144.tif 000011
【図１０】
2016223144.tif 000012